(57)【要約】【課題】無人の基地局に屋外設置されている本体に、容易の屋外側からの分解や取り外しが出来ない構造にすることを目的とする冷却装置を提供する。【解決手段】前面に第１環境用の外気吸気口５と外気吐出口６を設け、背面に第２環境用の内気吸気口７および内気吐出口８を設けた本体ケース４と、この本体ケース４内に設けられた外気送風機９及び内気送風機１０と、前記本体ケース４内において第１環境の空気と第２環境の空気との熱交換を行う熱交換器１１と前記外気送風機９及び前記内気送風機１０を動作させる制御部２１を備え、屋外に設置される前記本体ケース４の外郭は、屋外側からネジ頭が露出していない構造であることを特徴とした冷却装置を構成して、本体ケース４の外郭は、ネジ頭等がなく、本体ケース４内側からネジが締められているため、製品を容易に屋外側から分解できない構造にしている。【選択図】図１
2013045916.tif 000002
【特許請求の範囲】
【請求項１】
前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において第１環境の空気と第２環境の空気との熱交換を行う熱交換器と前記外気送風機および前記内気送風機を第二環境側から操作する開閉手段の信号によって動作させる制御部を備え、屋外に設置される前記本体ケースの外郭は、本体ケース内側から螺合したフロントパネルを有し、前記パネルは、開閉手段の操作によって前記外気送風機と内気送風機を停止させたときに前記螺合の解除を行なう冷却装置。
【請求項２】
本体ケースの外側を覆うフロントパネルは、モータの回転によりロック部分が螺合するロック手段によって本体ケース内側から固定され、本体ケース背面に設けた開閉手段を手動で開放操作をすると、ロック手段が解除される構造を備えた請求項１記載の冷却装置。
【請求項３】
前記開閉手段を開けると、フロントパネル上の第１ロック手段が解除し、フロントパネル上は、扉構造で片側に開閉することを特徴とする請求項２記載の冷却装置。
【請求項４】
前記開閉手段を開けると、フロントパネル上の第１ロック手段が解除し、フロントパネル上は、左右のスライド構造で横スライドガイドレールを設けたことを特徴とする請求項２または３のいずれか一つに記載の冷却装置。
【請求項５】
前記開閉手段を開けると、フロントパネル上の第１ロック手段が解除し、フロントパネル上は、下方向へのスライド構造で縦スライドガイドレールを設けたことを特徴とする請求項２〜４のいずれか一つに記載の冷却装置。
【発明の詳細な説明】
【技術分野】
【０００１】
本発明は、例えば屋外に設置される電子機器に活用される冷却装置に関するものである。
【背景技術】
【０００２】
例えば、携帯電話の基地局は、数十アンペア以上の電流が流れることから、ある点では発熱体とも表現される。つまり、発熱体でもある携帯電話の基地局を冷却することは、その動作を安定させるためには極めて重要なものとなる。この発熱体収納装置である基地局の内部には通信機を複数台設け、発生する熱を冷却装置のファンで冷却する構成をしていた。そして、この発熱体収納装置では、外部電源を直流電源に変換し、その電圧で前記通信機と冷却装置のファンを駆動するようにしていた（これに類似する先行文献としては特許文献１を参照）。このような基地局においては、近年の技術開発の結果、内部に収められていた機器類を更新し、さらに発熱量が増加する傾向にある。また、通信量の増加に伴い、基地局のスペースを有効に使いながら可能な限り多くの機器類を収納する傾向があった。
【先行技術文献】
【特許文献】
【０００３】
【特許文献１】特開２０００−１６１８７５号公報
【発明の概要】
【発明が解決しようとする課題】
【０００４】
このような従来の発熱体収納装置では、基地局内部のスペースを有効に使うようになり、通信機中心で設置されるために、内部を冷却する冷却装置そのものの設置スペースやメンテナンス用のスペースが十分に確保できない状況になってきた。
【０００５】
また、一部の商品においては、設置場所が基地局内部から基地局外壁の設置へと移り変わり、壁面取り付け構造化が行われるようになった。
【０００６】
さらに、本体の電源接続や通信機との接続作業は、基地局内部に行い、冷却装置のメンテナンスは基地局外からの作業となり、別々の環境で行われるようになった。
【０００７】
また、製品が屋外の壁面設置になったことから、無人の基地局にいたずら目的や機器の盗難で、製品が破壊されるなど基地局内の冷却を妨げる原因となるために、容易の屋外側からの分解や取り外しが出来ない構造が求められている。
【０００８】
さらに、メンテナンス時に作業者が安全な作業を行うための保護装置を設けることが求められている。
【０００９】
また、メンテナンス時の作業スペースの確保と限られたスペースで作業するために、製品側の工夫が求められているという課題があった。
【００１０】
本発明は、このような従来の課題を解決するもので、無人の基地局に屋外設置されている冷却装置本体に、いたずら目的や機器の盗難で、製品が破壊されるなど基地局内の冷却を妨げる原因となるため、容易の屋外側からの分解や取り外しが出来ない構造にすることを目的とする。
【００１１】
さらに、メンテナンス時の作業スペースの確保と限られたスペースで作業できるように、製品側で工夫した構造にすることを目的とする冷却装置を提供する。
【課題を解決するための手段】
【００１２】
前記課題を解決するために、本発明の冷却装置は、前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において第１環境の空気と第２環境の空気との熱交換を行う熱交換器と前記外気送風機および前記内気送風機を第二環境側から操作する開閉手段の信号によって動作させる制御部を備え、屋外に設置される前記本体ケースの外郭は、本体ケース内側から螺合したパネルを有し、前記パネルは、開閉手段の操作によって前記外気送風機と内気送風機を停止させたときに前記螺合の解除を行なうという構成にしたものであり、これにより初期の目的を達成するものである。
【発明の効果】
【００１３】
本発明によれば、前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において第１環境の空気と第２環境の空気との熱交換を行う熱交換器と前記外気送風機および前記内気送風機を第二環境側から操作する開閉手段の信号によって動作させる制御部を備え、屋外に設置される前記本体ケースの外郭は、本体ケース内側から螺合したパネルを有し、前記パネルは、開閉手段の操作によって前記外気送風機と内気送風機を停止させたときに前記螺合の解除を行なうという構成にしたことにより、本体ケースの外郭は、ネジ頭等がなく、本体ケース内側からネジが締められているため、製品を容易に屋外側から分解できない構造にすることができることで、いたずらによる破壊や盗難防止による冷却性能の低下を抑制することができるという効果のある冷却装置を提供することができる。
【図面の簡単な説明】
【００１４】
【図１】本発明の前提例１の冷却装置の設置例を示す斜視図
【図２】同冷却装置の断面側面図
【図３】同冷却装置の背面外観斜視図
【図４】本発明の実施の形態１の制御部のブロック図
【図５】本発明の実施の形態２の前面外観斜視図（（ａ）フロントパネル上下ありの図、（ｂ）フロントパネル上を開けた図）
【図６】本発明の実施の形態２のロック手段の図
【図７】本発明の実施の形態３の前面外観斜視図（（ａ）フロントパネル横スライド式の図、（ｂ）フロントパネル縦スライド式の図）
【発明を実施するための形態】
【００１５】
本発明の請求項１記載の冷却装置は、前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において第１環境の空気と第２環境の空気との熱交換を行う熱交換器と前記外気送風機および前記内気送風機を第二環境側から操作する開閉手段の信号によって動作させる制御部を備え、屋外に設置される前記本体ケースの外郭は、本体ケース内側から螺合したパネルを有し、前記パネルは、開閉手段の操作によって前記外気送風機と内気送風機を停止させたときに前記螺合の解除を行なう構成としたものである。
【００１６】
これにより、本体ケースの外郭は、ネジ頭等がなく、本体ケース内側からネジが締められているため、製品を容易に屋外側から分解できない構造にすることができるという作用を有し、いたずらによる破壊や盗難防止による冷却性能の低下を抑制することができるという効果のある冷却装置が得られる。
【００１７】
また、請求項２記載の冷却装置は、本体ケースの外側を覆うパネルは、モータの回転によりロック部分が螺合するロック手段によって本体ケース内側から固定され、本体ケース背面に設けた開閉手段を手動で開放操作をすると、ロック手段が解除される構造を備えたものである。
【００１８】
これにより、背面の第二環境側から開閉手段を開放操作することにより、ロック手段のロック部分の螺合を緩めることとなり、その後前面からのパネルの取り外しを可能にすることができる。また製品の構造を知らないとメンテナンスできなく、外側からフロントケース上を開けられないことで盗難防止も図ることができるという効果のある冷却装置およびこれを用いた電子機器が得られる。
【００１９】
また、請求項３記載の冷却装置は、前記開閉手段を開けると、フロントパネル上の第１ロック手段が解除し、フロントパネル上は、扉構造で片側に開閉することを特徴とする冷却装置であって、屋内側の開閉手段を開けることで、本体ケース背面の第１ロック手段が解除し、扉構造の蝶番にてフロントパネル上は、開閉することができるという作用を有し、本体ケースから取りはずことなく、扉構造にて片側に開閉をすることで、フロントパネル上の開閉を容易し、メンテナンス性の向上を図ることができるという効果のある冷却装置およびこれを用いた電子機器が得られる。
【００２０】
また、請求項４記載の冷却装置は、前記開閉手段を開けると、フロントパネル上の第１ロック手段が解除し、フロントパネル上は、左右のスライド構造で横スライドガイドレールを設けたことを特徴とする冷却装置であって、屋内側の開閉手段を開けることで、本体ケース背面の第１ロック手段が解除し、左右のスライド構造で、横スライドガイドレールにてフロントパネル上をスライドさせて、開閉することができるという作用を有し、本体ケースの背面に隣接して他機器が設置されている環境においても、フロントパネル上を左右にスライドして開けて、メンテナンスを行うことができるため、メンテナンス性の向上と設置場所による制約を取り除くことができるという効果のある冷却装置およびこれを用いた電子機器が得られる。
【００２１】
また、請求項５記載の冷却装置は、前記開閉手段を開けると、フロントパネル上の第１ロック手段が解除し、フロントパネル上は、下方向へのスライド構造で縦スライドガイドレールを設けたことを特徴とする冷却装置であって、屋内側の開閉手段を開けることで、本体ケース背面の第１ロック手段が解除し、下方向のスライド構造で、縦スライドガイドレールにてフロントパネル上をスライドさせて、開閉することができるという作用を有し、設置場所を選ばず、本体の両側に他機器が設置されている環境においても、フロントパネル上を下方向にスライドさせて、メンテナンスを行うことができるために、メンテナンス性の向上と設置場所による制約から最善策を選択することができるという効果のある冷却装置およびこれを用いた電子機器が得られる。
【００２２】
以下、本発明の実施の形態について図面を参照しながら説明する。
【００２３】
（前提例１）
図１から図３に示すように、本実施の形態１における冷却装置の斜視図、断面側面図を参照しながら説明する。
【００２４】
図１に示すように、携帯電話の基地局１は内部に送・受信機（図示せず）を収納したものである。このような基地局１は、様々な場所に設置されている。基地局１は箱状のキャビネット２とこのキャビネット２内に設けた送・受信機とで構成されている。
【００２５】
さらに、キャビネット２の一つの外壁面には、冷却装置３が取り付けられている。
【００２６】
また、図２に示すように、冷却装置３の概略構成を説明する。冷却装置３は、第１環境となる外気空気（以降、外気と呼ぶ）と第２環境となるキャビネット２内の空気（以降、内気と呼ぶ）とを吸い込む構成となっている。すなわち、冷却装置３は、本体ケース４の前面に外気吸気口５と外気吐出口６および本体ケース４の背面にキャビネット２内気吸気口７および内気吐出口８を有する。
【００２７】
また、冷却装置３の本体ケース４内には、外気用の外気送風機９および内気用の内気送風機１０と、外気と内気との熱交換を行う熱交換器１１と外気送風機９および内気送風機１０を動作させる制御部２１を備えている。
【００２８】
キャビネット２の屋外に設置される前記本体ケース４の外郭は、背面には、図３に示すように、本体ケース４の内部から背面を貫通してキャビネット２の壁面２ａ側へ突出させた固定ボルト１２を備え、前面には、図５（ａ）に示すように、フロントパネル１８を備えている。
【００２９】
フロントパネル１８は、本体ケース４の前面を覆うように取り付けてあるが、屋外側に面している面すべての面において、屋外側から各面のパネルを取り外せないようにネジ等で接合している部分は、ネジ頭が屋外側にはなく、本体ケース４の内側からネジを締めつけて組み立てられており、屋外側にすべての面にネジ頭がない構成となっている。
【００３０】
また、図２に示すように、固定ボルト１２は、本体ケース４の背面の４隅に取り付いており、キャビネット２の壁面２ａを貫通してナット１６を締結して冷却装置３を取り付ける構成になっている。
【００３１】
さらに、キャビネット２内から臨む内気吸気口７の横（隣接部）には、冷却装置３へ電源を供給する電源部１９と制御部２１に信号を送り外気送風機９および内気送風機１０の運転および停止の操作をする開閉手段２０とを備えている。
【００３２】
上記構成により、フロントパネル１８、すなわち本体ケースの外郭は、本体ケース４の内側からネジを締めつけて組み立てることにより、ネジ頭等がなく、本体ケース４の外側に露出しないので、屋外側から分解できない構造にすることができるために、いたずらによる破壊や盗難防止による冷却性能の低下を抑制することができることとなる。
【００３３】
（実施の形態１）
図４に示すように、本発明の実施の形態１の冷却装置の制御部のブロック図を示す。
【００３４】
図３に示すように、本体ケース４の背面側の電源部１９には、冷却装置の運転状態を即座に停止させることが可能な運転停止機能を設けた開閉手段２０があり、その開閉手段２０を手動で操作することにより、制御部２１が開閉を検知する構成となっている。
【００３５】
図４に示すように、制御部２１内には、マイコン２２と駆動回路部２３と電源回路部２４を備えた構成となっており、外気送風機９および内気送風機１０を駆動するモータ部２５は、マイコン２２からの運転停止指令にて、駆動回路部２３が動作することで、モータ部２５が回転することができる構成となっている。
【００３６】
また、開閉手段２０の開閉を検知した制御部２１の動作は、マイコン２２が検知し、即座に運転信号から停止信号を駆動回路部２３に送ることで、モータ部２５が停止することになる。
【００３７】
すなわち、図４に示すように、制御部２１のマイコン２２内には、開閉手段２０の解放時間を管理するタイマー機能２２ａを内蔵しており、開放すると同時にマイコン２２に開放信号とタイマー動作用の信号が入力され、タイマー機能２２ａが所定の時間をカウントダウンする構成としている。
【００３８】
また、そのタイマーのカウントダウンが完了すると、停止時間が長くメンテナンス作業中であると判断し、マイコン２２から、電源遮断手段２６へ電源遮断させる信号を送信するものである。
【００３９】
さらに、電源遮断手段２６は、電源遮断させる信号を受信すると、即座に冷却装置本体の電源を遮断することができる。
【００４０】
また、電源が遮断されたことで、電源回路の電圧が低下すると、二次電池２７が動作をし、マイコン２２へ別系統から電源供給することができる。
【００４１】
さらに、マイコン２２は、二次電池２７から電源供給されるため、開閉手段２０の閉信号を継続して待機することができる。
【００４２】
また、前記本体ケース背面に設けられた開閉手段２０を手動で開けると、本体ケース前面のフロントパネル１８のロック手段が解除される構造を備えたものである。
【００４３】
すなわち、開閉手段２０を手動で解放すると、開閉手段２０の状態を検知した信号がマイコン２２に送られ、マイコン２２は、マイコン２２内のタイマー機能２２ａがカウントダウンさせると同時にロック手段２８ａにも、ロック解除の信号を送信することができる。
【００４４】
ロック手段２８ａは、本体ケース４とフロントパネル１８を取り付けているネジの役割をしたロック機構である。ロック手段２８ａの一例として、図６に示すように、マイコン２２からの電気信号にて動作するモータ２８ｃとモータ２８ｃの回転によりロック部分が連動して可動するスライド機構ロック部品２８ｄを組み合わせた構造で、電気信号にてモータ２８ｃを回転させるとスライド機構ロック部品２８ｄのロック部分が可動し、本体ケース４からフロントパネル１８に可動したロック部分が引っかかり、フロントパネル１８をスライド機構ロック部品２８ｄにて螺条しロックさせることができる。そして、開閉手段２０が手動で開放されるとマイコン２２からの電気信号によって、ロック手段２８ａのスライド機構が解除する方向に可動して、本体ケース４からフロントパネル１８を取り外すことができる。
【００４５】
上記構成により、制御部２１が開閉手段２０の状態を監視し、開閉手段２０が手動で開けられたことを感知したら、制御部２１内のマイコン２２から駆動回路部２３へ停止指令を送信することができるために、メンテナンス時の安全な作業の確保と、メンテナンス中に、モータ部２５を停止させることで、待機電力を削減させることができることとなる。
【００４６】
また、開閉手段２０が手動で開けられてから時間を管理し、規定時間を時間経過したら、制御部２１内のマイコン２２から電源回路部２４内の電源遮断手段２６へ、遮断信号を送信することができる。また、制御部２１は二次電池２７を内蔵しているため、電源遮断されてしまっても開閉手段２０の検知を継続して監視しているために、メンテナンス時の安全な作業の確保と電源遮断時の制御部２１の二次電池２７による感知で待機電力をさらに削減させることができることとなる。
【００４７】
また、本体ケース４前面の開閉手段２０を手動で解除することで、フロントパネル１８のロック手段２８ａが連動して解除することができるために、開閉手段２０を開けることで、本体ケース４前面のフロントパネル１８のロック手段２８ａが解除され、前面からの操作でフロントパネル１８の取り外しを可能にすることができる。
【００４８】
また製品の構造を知らないとメンテナンス出来なく、外側からフロントケース上を空けられないことで盗難防止も図ることができることとなる。
【００４９】
（実施の形態２）
図５に示すように、本発明の実施の形態２の前面外観斜視図を示す。
【００５０】
本実施の形態は、実施の形態１に加えて、前記開閉手段２０を開けると、フロントパネル１８のロック手段２８ａが解除し、フロントパネル１８は、扉構造で片側に開閉するものである。
【００５１】
すなわち、図５（ｂ）に示すように、ロック手段２８ａが解除されることで、フロントパネル１８を開閉することができる。
【００５２】
また、フロントパネル１８は、本体ケース４から取り外せないように蝶番２９で固定されている構成とし、扉のようにフロントパネル１８を容易に開閉することができる構成する。
【００５３】
屋内側から開閉手段２０を開けることで、本体ケース４の背面のロック手段２８ａが解除し、扉構造の蝶番にてフロントパネル１８は、開閉することができるために、本体ケース４から離脱させることなく、扉構造にて片側に開閉をすることで、フロントパネル１８の開閉を容易し、メンテナンス性の向上を図ることができることとなる。
【００５４】
なお、冷却装置３の設置場所は高所である場合もあり、作業スペースがない場合、フロントパネル１８は、本体ケース４から取り外せないことが有効であり、取り外すことによるフロントパネル１８の落下や冷却装置３の下にいる作業者への落下物による怪我の防止を図ることができる。
【００５５】
（実施の形態３）
図７に示すように、本発明の実施の形態３の前面外観斜視図を示す。
【００５６】
本実施の形態の冷却装置は、実施の形態２に加えて、前記開閉手段２０を開けると、フロントパネル１８のロック手段２８ａが解除し、フロントパネル１８は、スライド構造で横スライドガイドレールを設けた冷却装置である。
【００５７】
すなわち、図７（ａ）に示すように、ロック手段２８ａが解除されることで、フロントパネル１８を左右方向に開閉することができるように、横スライドガイドレール３０を設けている。
【００５８】
また、フロントパネル１８は、横スライドガイドレール３０の上を車のスライドドアのように滑らせながら開閉することができる。
【００５９】
本体ケース４の設置場所の両サイドのスペースにより、フロントパネル１８のスライド方向を変更することができる。
【００６０】
また、スライドガイドレールの別の形態として、前記開閉手段２０を開けると、フロントパネル１８のロック手段２８ａが解除し、フロントパネル１８は、下方向へのスライド構造で縦スライドガイドレール３１を設けた冷却装置である。
【００６１】
すなわち、別の実施の形態体として、図７（ｂ）に示すように、ロック手段２８ａが解除されることで、フロントパネル１８を下方向に開閉することができるように、縦スライドガイドレール３１を設けている。
【００６２】
さらに、フロントパネル１８は、縦スライドガイドレール３１を下方向にスライドさせながら開閉することができる。
【００６３】
また、本体ケース４内でスライド作業が行われ、本体ケース４の外郭より外側にフロントパネル１８が飛び出さない構成にすることができる。
【００６４】
上記構成により、屋内側の開閉手段２０を開けることで、本体ケース４背面のロック手段２８ａが解除し、左右のスライド構造で、横スライドガイドレール３０にてフロントパネル１８をスライドさせて、開閉することができるために、本体ケース４の背面に隣接して他機器が設置されている環境においても、フロントパネル１８を左右にスライドして開けて、メンテナンスを行うことができるため、メンテナンス性の向上と設置場所による制約を取り除くことができることとなる。
【００６５】
また、屋内側の開閉手段２０を開けることで、本体ケース４背面のロック手段２８ａが解除し、下方向のスライド構造で、縦スライドガイドレール３１にてフロントパネル１８をスライドさせて、開閉することもできるために、設置場所を選ばず、本体の両側に他機器が設置されている環境においても、フロントパネル１８を下方向にスライドさせて、メンテナンスを行うことができるために、メンテナンス性の向上と設置場所による制約を取り除くこととなる。
【産業上の利用可能性】
【００６６】
本発明の冷却装置は、空気調和装置、制御盤などの壁面取り付けについても適用できる。
【符号の説明】
【００６７】
１      基地局
２      キャビネット
２ａ    壁面
３      冷却装置
４      本体ケース
５      外気吸気口
６      外気吐出口
７      内気吸気口
８      内気吐出口
９      外気送風機
１０    内気送風機
１１    熱交換器
１２    固定ボルト
１３    ボルト貫通孔
１４    内気吸気口用開口
１５    内気吐出口用開口
１６    ナット
１８    フロントパネル
１９    電源部
２０    開閉手段
２１    制御部
２２    マイコン
２２ａ  タイマー機能
２３    駆動回路部
２４    電源回路部
２５    モータ部
２６    電源遮断手段
２７    二次電池
２８ａ  ロック手段
２８ｃ  モータ
２８ｄ  スライド機構ロック部品
２９    蝶番
３０    横スライドガイドレール
３１    縦スライドガイドレール
【図１】
2013045916.tif 000003
【図２】
2013045916.tif 000004
【図３】
2013045916.tif 000005
【図４】
2013045916.tif 000006
【図５】
2013045916.tif 000007
【図６】
2013045916.tif 000008
【図７】
2013045916.tif 000009